(57)【特許請求の範囲】
【請求項１】
交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点と、ランプの調光比を調整する調光回路とを備えた点灯装置であって、前記リレーの接点がオフ状態の時にランプの点灯を禁止する点灯禁止手段を備え、前記リレーコイルは、前記電圧検知回路にて検知された電圧が所定電圧以上のときにオンするトランジスタを介して直流電源の両端間に接続され、前記調光回路は、直流電圧からなる調光信号が入力される調光信号入力端子と、前記調光信号入力端子と前記直流電源の負極との間に直列接続された一対の抵抗と、プラス入力端子に入力される三角波電圧と反転入力端子に入力される前記両抵抗の接続点の電圧からなるしきい値電圧とを比較してＰＷＭ信号を出力するコンパレータとを備え、前記点灯禁止手段が、前記コンパレータの反転入力端子にアノードが接続され前記トランジスタと前記リレーコイルとの接続点にカソードが接続されたダイオードからなり、前記電圧検知回路で検知された電圧が所定電圧まで降下して前記リレーの接点がオフすると、前記調光信号入力端子−前記ダイオード−前記リレーコイルの経路で電流が流れて前記コンパレータの出力が略一定値となって前記ランプが消灯することを特徴とする点灯装置。
【請求項２】
交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点とを備えた点灯装置であって、前記リレーの接点がオフ状態の時にランプの点灯を禁止する点灯禁止手段を備え、直流電源の両端間に前記リレーコイルと前記電圧検知回路にて検知された電圧が所定電圧以上のときにオンするトランジスタとの直列回路が接続され、前記点灯禁止手段は、前記リレーコイルに並列に接続されたツェナダイオードと抵抗とフォトカプラの発光ダイオードとの直列回路と、点灯回路の動作を制御する前記フォトカプラのフォトトランジスタとを備え、前記ツェナダイオードのツェナ電圧を前記リレーの感動電圧以上としてあり、前記電圧検知回路で検知された電圧が所定電圧まで降下して前記リレーコイルの両端電圧が降下すると、前記発光ダイオードが消灯して前記フォトトランジスタがオフしてランプが消灯し、その後、前記電圧検知回路で検知された電圧が更に降下すると前記リレーの接点がオフすることを特徴とする点灯装置。
【発明の詳細な説明】
【０００１】
【発明の属する技術分野】
本発明は、点灯装置に関し、特に複写機等の露光用に用いるランプの点灯装置に関するものである。
【０００２】
【従来の技術】
従来より、複写機の露光用のランプ（例えば、ハロゲンランプ）の点灯装置として、図９に示すような回路構成のものが知られている。ここで、図９（ａ）は点灯装置の主回路の回路構成図であり、図９（ｂ）は主回路を制御する制御回路の回路構成図である。主回路は、電源として商用電源（交流電源）ＡＣを使用し、商用電源ＡＣを整流するダイオードブリッジよりなる整流回路ＤＢと、整流回路ＤＢの出力を平滑する平滑コンデンサＣ1と、電界効果トランジスタ（ＦＥＴ）よりなるスイッチング素子Ｑ1及びダイオードＤ4及びコイルＬ1からなり直流電圧を高周波電圧に変換してランプを点灯させるする降圧チョッパ回路からなる点灯回路３と、点灯回路３からの高周波電圧が入力される負荷であるランプＬａとを備えている。また、平滑コンデンサＣ1の両端には平滑コンデンサＣ1の両端の電圧を検知する後述の電圧検知回路５が並列に接続されており、整流回路ＤＢと平滑コンデンサＣ1との間には、平滑コンデンサＣ1への突入電流を防止する突入電流防止用抵抗Ｒ1が直列に接続され、電圧検知回路５にて検知された電圧が所定電圧以上の時にオンするスイッチ要素であるリレーＲＹ1の接点Ｓ1が突入電流防止用抵抗Ｒ1に並列に接続されている。ここで、突入電流防止用抵抗Ｒ1とリレーＲＹ1の接点Ｓ1とで突入電流防止回路４1を構成している。更に、主回路は、ランプＬａの調光比を調整する調光回路２1、点灯回路３をオン、オフする点灯制御回路１1、コンパレータＣＰ1、発信器ＯＳＣ1等を有する。ここで、主回路の調光回路２1、点灯制御回路１1、突入電流防止回路４1は、図９（ｂ）に示す制御回路の調光回路２1、点灯制御回路１1、突入電流防止回路４1それぞれとフォトカプラＰＣ3，ＰＣ2，ＰＣ1を介して光結合している。フォトカプラＰＣ3は発光ダイオードＬＥＤ3とフォトトランジスタＰＴ3とで、フォトカプラＰＣ2は発光ダイオードＬＥＤ2とフォトトランジスタＰＴ2とで、また、フォトカプラＰＣ1は発光ダイオードＬＥＤ1とフォトトランジスタＰＴ1とで、それぞれ構成される。
【０００３】
制御回路の電源としては、複写機（図示せず）内部に設けられている制御用の直流電源Ｅを使用している。ここで、調光回路２1 、点灯制御回路１1 は、複写機側から調光信号入力端子Ｔ2 、点灯信号入力端子Ｔ1 それぞれに信号電圧（直流電圧）が印加され調光動作及び点灯動作を制御する。
以下、上記点灯装置の具体的な動作を説明する。
【０００４】
まず、複写機の電源用スイッチ（図示せず）をオンすることによって主回路に商用電源ＡＣを印加すると（投入すると）、突入電流防止回路４1 の平滑コンデンサＣ1 への充電が始まる。そして、平滑コンデンサＣ1 両端の電圧が所定電圧に達すると、電圧検知回路５のツェナダイオードＺＤ1 に電流が流れ始め、フォトカプラＰＣ1 の発光ダイオードＬＥＤ1 が発光してフォトトランジスタＰＴ1 がオンする。その結果、トランジスタＱ5 がオンするので、トランジスタＱ6 がオンし、リレーＲＹ1 のリレーコイルＬｙが励磁され、リレーＲＹ1 の接点Ｓ1 がオンし（閉じ）、複写機（つまり、点灯装置）がスタンバイ状態（ランプＬａは、消灯状態であり、点灯信号入力端子Ｔ1 に電圧を印加しないと点灯しない状態）となる。すなわち、上記点灯装置は、主回路に商用電源ＡＣを印加しただけではランプＬａに電流が流れることはないのである。
【０００５】
次に、スタンバイ状態において、点灯回路制御回路１1 の点灯信号入力端子Ｔ1 に、点灯信号（直流電圧）が印加されると、フォトカプラＰＣ2 の発光ダイオードＬＥＤ2 が発光してフォトトランジスタＰＴ2 がオンするので、トランジスタＱ2 ，Ｑ3 がオフし、その結果、コンパレータＣＰ1 及びスイッチング素子Ｑ1 が駆動し、ランプＬａが点灯（オン）する。
【０００６】
調光回路２1 の調光信号入力端子Ｔ2 に調光信号（直流電圧）が印加されると、抵抗Ｒ25を介してコンパレータＣＰ2 の反転入力端子（−）に図１０（ａ）に一点鎖線で示すような略一定値の直流電圧（ＶCP2 - ）が印加され、コンパレータＣＰ2 では、この直流電圧ＶCP2 - （しきい値電圧）とコンパレータＣＰ2 のプラス入力端子（＋）に入力される図１０（ａ）に実線で示すような三角波電圧Ｖcp2 + とが比較されその比較結果に基づいた信号が出力される。ここで、コンパレータＣＰ2 のプラス入力端子（＋）には、発信器ＯＳＣ2 、定電流源Ｉ2 、コンデンサＣ2 によって三角波電圧（Ｖcp2 + ）が供給されるので、コンパレータＣＰ2 の出力電圧Ｖcp2 out は図１０（ｂ）に示すようなパルス幅変調（ＰＷＭ）信号となる。すると、このＰＷＭ信号がフォトカプラＰＣ3 を介して主回路に伝達され、すなわち、フォトトランジスタＰＴ3 のコレクタ電圧Ｖpc3 が図１０（ｃ）に示すように変化し、Ｖpc3 の変化に応じてトランジスタＱ4 がオン・オフされ、コンデンサＣ3 の電荷が充放電される。この時のコンデンサＣ3 の両端電圧ＶC3は図１０（ｄ）に示すように変化する。
【０００７】
また、コンパレータＣＰ1 のプラス入力端子（＋）に入力される電圧ＶCP1 + は、コンデンサＣ3 の両端電圧ＶC3のピーク電圧ＶC3max をオペアンプよりなるバッファ回路Ｂｕを介してピークホールド回路６で一定時間保持するので、図１０（ｅ）に示すような大きさが略一定の直流電圧となる（なお、電圧ＶCP1 + の大きさはＶC3max に略等しい）。すなわち、ピークホールド回路６は、コンデンサＣ3 の両端電圧ＶC3を、大きさが略一定の直流電圧に変換して、コンパレータＣＰ1 のプラス入力端子（＋）に入力しているのである。一方、コンパレータＣＰ1 の反転入力端子（−）には、発振器ＯＳＣ1 、抵抗Ｒ2 、コンデンサＣ5 によって図１１（ａ）に一点鎖線で示すような三角波電圧（Ｖcp1 - ）が供給されるので、コンパレータＣＰ1 の出力端子には、Ｖcp1 - とＶCP1 + との比較結果に基づいたＰＷＭ信号が出力される。ＶCP1 + が図１１（ａ）の実線ｍ1 で示すような大きさの直流電圧の場合、コンパレータＣＰ1 の出力電圧Ｖcp1 out は、図１１（ｂ）に示すようなＰＷＭ信号として出力される。
【０００８】
ところで、上記点灯装置では、ランプＬａの調光比を変化させる場合は、調光信号入力端子Ｔ2 に入力される調光信号なる直流電圧の大きさが変化する。このため、上記点灯装置では、調光信号入力端子Ｔ2 に印加される直流電圧の値が上昇すると、コンデンサＣ3 の両端電圧ＶC3のピーク値ＶC3max が上昇し、その結果、ＶCP1 + も図１１（ａ）に実線ｍ2 で示すように上昇するので、コンパレータＣＰ1 の出力電圧Ｖcp1 out は図１１（ｄ）のような波形になり、電圧Ｖcp1 out のハイレベルＨの時間（区間）が図１１（ｂ）よりも長くなる。ここで、電圧ＶCP1 + のハイレベルＨの時間が長くなることにより、スイッチング素子Ｑ1 のオン時間（区間）が長くなり（この時のスイッチング素子Ｑ1 のドレイン・ソース間電圧ＶDSの波形を図１１（ｅ）に示す）、ランプＬａの両端電圧が大きくなる。一方、調光信号入力端子Ｔ2 に印加される調光信号（直流電圧）の値が低下すると、コンデンサＣ3 の両端電圧ＶC3のピーク値ＶC3max が低下し、その結果、ＶCP1 + も図１１（ａ）に実線ｍ3 で示すように低下するので、コンパレータＣＰ1 の出力電圧Ｖcp1 out は図１１（ｃ）のような波形になり、電圧Ｖcp1 out のハイレベルＨの時間が図１１（ｂ）よりも短くなる。ここで、電圧Ｖcp1 out のハイレベルの時間が短くなることにより、スイッチング素子Ｑ1 のオン時間が短くなりランプＬａの両端電圧が小さくなる。すなわち、調光信号入力端子Ｔ2 に印加される直流電圧の値に応じてランプＬａの調光動作が行われるのである。
【０００９】
また、他の従来例として、調光回路を持たない点灯装置の回路構成図を図１３に示す。ここで、図１３（ａ）は点灯装置の主回路の回路構成図であり、図１３（ｂ）は主回路の制御回路の回路構成図である。なお、図１３の点灯装置の主回路の構成は図９の回路と略同じ回路構成なので、同様の構成要素については同一の符号を付し説明を省略する。
【００１０】
以下、図１３に示す点灯装置の動作を説明する。
まず、主回路に商用電源ＡＣを印加すると（投入すると）、平滑コンデンサＣ1 への充電が始まる。そして、平滑コンデンサＣ1 両端の電圧が所定電圧に達すると、電圧検知回路５のツェナダイオードＺＤ1 に電流が流れ始め、フォトカプラＰＣ1 の発光ダイオードＬＥＤ1 が発光してフォトトランジスタＰＴ1 がオンする。その結果、トランジスタＱ5 がオンし、リレーＲＹ1 のリレーコイルＬｙが励磁され、リレーＲＹ1 の接点Ｓ1 がオンし、点灯装置はスタンバイ状態となる。
【００１１】
次に、点灯信号入力端子Ｔ1 に、点灯信号（直流電圧）が印加されると、トランジスタＱ11がオンしてトランジスタＱ10もオンし、フォトカプラＰＣ2 の発光ダイオードＬＥＤ2 が発光してフォトトランジスタＰＴ2 がオンするので、トランジスタＱ2 ，Ｑ3 がオフし、その結果、コンパレータＣＰ1 及びスイッチング素子Ｑ1 が駆動し、ランプＬａが点灯（オン）する。
【００１２】
【発明が解決しようとする課題】
しかしながら、図９の点灯装置では、ランプＬａの点灯（オン）中に商用電源ＡＣの電圧（の実効値）Ｖinが変動すると、例えば図１２（ａ）に示すようにＶinが緩やかに降下して時刻ｔ4においてＶinがＶin1に達すると、電圧検知回路５のツェナダイオードＺＤ1に電流が流れなくなり、フォトカプラＰＣ1の発光ダイオードＬＥＤ1が消灯してフォトトランジスタＰＴ1がオフし、その結果、トランジスタＱ5，Ｑ6がオフし、リレーＲＹ1の接点Ｓ1がオフする（図１２（ｆ）参照）。すると、リレーＲＹ1の接点Ｓ1がオフした時刻ｔ4からＶinがＶin2に達して発振が停止して（スイッチング素子Ｑ1が完全にオフして）ランプＬａがオフする時刻ｔ5までの間、ランプＬａに流れる電流が突入電流防止用抵抗Ｒ1に流れ、突入電流防止用抵抗Ｒ1が（加熱されて）破壊されてしまうことがあった。図１２（ｈ）はその時の突入電流防止用抵抗Ｒ1の電圧を示す。
【００１３】
また、図１３の点灯装置においても、ランプＬａの点灯中に商用電源ＡＣの電圧Ｖinが例えば図１４（ａ）に示すように緩やかに降下して時刻ｔ3 においてＶinがＶ1n1 に達すると、電圧検知回路５のツェナダイオードＺＤ1 に電流が流れなくなり、フォトカプラＰＣ1 の発光ダイオードＬＥＤ1 が消灯してフォトトランジスタＰＴ1 がオフし、その結果、トランジスタＱ5 がオフする。この時、点灯回路１1 の動作を制御するトランジスタＱ10とリレーＲＹ1 の接点Ｓ1 の動作を制御するリレーコイルＬｙの感動電圧との関係より、図１４（ｃ），（ｄ）に示すように、トランジスタＱ10よりも先にリレーＲＹ1 の接点Ｓ1 がオフするため、図１４（ｆ）に示すように時刻ｔ3 〜時刻ｔ4 の間、すなわち、接点Ｓ1 がオフした時刻ｔ3 からランプＬａがオフする時刻ｔ4 （図１４（ｅ）参照）までの間、ランプＬａに流れる電流が突入電流防止用抵抗Ｒ1 に流れ、突入電流防止用抵抗Ｒ1 が破壊されてしまうことがあった。図１４（ｆ）はその時の突入電流防止用抵抗Ｒ1 の電圧を示す。
【００１４】
本発明は上記事由に鑑みて為されたものであり、その目的は、交流電源の電圧変動による突入電流防止用抵抗の破壊を防止した点灯装置を提供することにある。
【００１５】
【課題を解決するための手段】
請求項１の発明は、上記目的を達成するために、交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点と、ランプの調光比を調整する調光回路とを備えた点灯装置であって、前記リレーの接点がオフ状態の時にランプの点灯を禁止する点灯禁止手段を備え、前記リレーコイルは、前記電圧検知回路にて検知された電圧が所定電圧以上のときにオンするトランジスタを介して直流電源の両端間に接続され、前記調光回路は、直流電圧からなる調光信号が入力される調光信号入力端子と、前記調光信号入力端子と前記直流電源の負極との間に直列接続された一対の抵抗と、プラス入力端子に入力される三角波電圧と反転入力端子に入力される前記両抵抗の接続点の電圧からなるしきい値電圧とを比較してＰＷＭ信号を出力するコンパレータとを備え、前記点灯禁止手段が、前記コンパレータの反転入力端子にアノードが接続され前記トランジスタと前記リレーコイルとの接続点にカソードが接続されたダイオードからなり、前記電圧検知回路で検知された電圧が所定電圧まで降下して前記リレーの接点がオフすると、前記調光信号入力端子−前記ダイオード−前記リレーコイルの経路で電流が流れて前記コンパレータの出力が略一定値となって前記ランプが消灯することを特徴とするものである。
【００１６】
請求項１の発明では、交流電源の電圧が変動して電圧検知回路の電圧が所定電圧まで降下して前記リレーの接点がオフするときは前記リレーの接点がオフすると略同時にランプが消灯するから、前記突入電流防止用抵抗に電流が流れることがなく、前記突入電流防止用抵抗が破壊されるのを防ぐことができる。
【００１７】
請求項２の発明は、交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点とを備えた点灯装置であって、前記リレーの接点がオフ状態の時にランプの点灯を禁止する点灯禁止手段を備え、直流電源の両端間に前記リレーコイルと前記電圧検知回路にて検知された電圧が所定電圧以上のときにオンするトランジスタとの直列回路が接続され、前記点灯禁止手段は、前記リレーコイルに並列に接続されたツェナダイオードと抵抗とフォトカプラの発光ダイオードとの直列回路と、点灯回路の動作を制御する前記フォトカプラのフォトトランジスタとを備え、前記ツェナダイオードのツェナ電圧を前記リレーの感動電圧以上としてあり、前記電圧検知回路で検知された電圧が所定電圧まで降下して前記リレーコイルの両端電圧が降下すると、前記発光ダイオードが消灯して前記フォトトランジスタがオフしてランプが消灯し、その後、前記電圧検知回路で検知された電圧が更に降下すると前記リレーの接点がオフすることを特徴とする。
請求項２の発明では、点灯禁止手段が動作した後に、リレーの接点がオフするので、交流電源の電圧が変動して前記リレーの接点がオフするときにはランプが消灯されているから、前記突入電流防止用抵抗に電流が流れることがなく、前記突入電流防止用抵抗が破壊されるのを防ぐことができる。
【００１８】
【発明の実施の形態】
以下、本発明の実施形態を図面に基づいて説明する。
（実施形態１）
本実施形態の点灯装置の主回路を図１（ａ）に、主回路を制御する点灯制御回路たる制御回路を図１（ｂ）に示す。本点灯装置の主回路の構成は図９（ａ）で説明した従来例と同じであり、本点灯装置の特徴とするところは、図９（ｂ）で説明した制御回路において、突入電流防止回路４1 のトランジスタＱ6 のコレクタと、コンパレータＣＰ2 の反転端子（−）との間に、リレーＲＹ1 の接点Ｓ1 がオフ状態の時にランプＬａの点灯を禁止する点灯禁止手段としてダイオードＤ1 を接続したことにある。ここで、ダイオードＤ1 は、アノード端子をコンパレータＣＰ2 の反転端子（−）側に、カソード端子をトランジスタＱ6 のコレクタ側に、それぞれ接続している。
【００１９】
以下、本点灯装置の動作について説明する。
本点灯装置の基本動作（商用電源ＡＣの電圧が一定の時の動作）は図９の従来例と略同じなので、特徴となる動作についてのみ説明する。なお、従来例と同様の構成要素については同一の符号を付してある。
本点灯装置では、主回路に商用電源ＡＣが印加されたスタンバイ状態において、図２（ｂ）に示すように時刻ｔ2 で点灯信号（直流電圧）が点灯信号入力端子Ｔ1 に印加されると（点灯信号がハイレベルＨになると）、従来例と同様にランプＬａが点灯（オン）する（図２（ｇ）参照）。ところで、調光信号入力端子Ｔ2 には、時刻ｔ2 よりも前の時刻ｔ1 で調光信号（直流電圧）が印加されており（調光信号がハイレベルＨになり）、従来例と同様に、コンパレータＣＰ2 （図３参照）の反転端子（−）には図４（ａ）に一点鎖線で示すような略一定値の直流電圧（ＶCP2 - ）が入力され、コンパレータＣＰ2 のプラス端子（＋）には図４（ａ）に実線で示すような三角波電圧（Ｖcp2 + ）が入力されている。このため、コンパレータＣＰ2 の出力端子の電圧ＶCP2 out が従来例と同様に図４（ｂ）に示すようなＰＷＭ信号となるので、フォトカプラＰＣ3 の発光ダイオードＬＥＤ3 が点灯・消灯し、ランプＬａが点灯するのである。ここで、ランプＬａの点灯中は、トランジスタＱ6 がオンしているため、リレーコイルＬｙの電圧ＶRY1 とコンパレータＣＰ2 のマイナス端子（−）の電圧Ｖcp2 - とは、ＶRY1 ＞Ｖcp2 - となるが、ダイオードＤ1 はコンパレータＣＰ2 の反転端子（−）側にアノード端子が接続されているので、トランジスタＱ6 を通じてコンパレータＣＰ2 の反転端子（−）に電流が流れ込むことはなく、調光信号は正常に機能し、また、リレーＲＹ1 も正常に動作する。
【００２０】
本点灯装置では、ランプＬａの点灯（オン）中に、例えば図２（ａ）に示すように商用電源ＡＣの電圧Ｖinが緩やかに降下して時刻ｔ4 においてＶinがＶin2 に達すると、電圧検知回路５のツェナダイオードＺＤ1 に電流が流れなくなり、フォトカプラＰＣ1 の発光ダイオードＬＤＥ1 が消灯してフォトトランジスタＰＴ1 オフし、その結果、トランジスタＱ5 ，Ｑ6 がオフし、リレーＲＹ1 の接点Ｓ1 がオフする（図２（ｆ）参照）。すると、図５中に一点鎖線で示すように調光信号入力端子Ｔ2 −ダイオードＤ1 −リレーコイルＬｙの経路で電流が流れるので、コンパレータＣＰ2 の反転端子（−）側の電位ＶCP2 - が、図６（ａ）に一点鎖線で示すようになる。ここで、〔リレーコイルＬｙの抵抗値〕＜＜〔抵抗Ｒ25の抵抗値〕なので、ＶCP2 - は、グランド電位（零ボルト）に略等しい。図６に実線で示す三角波はコンパレータＣＰ2 のプラス端子（＋）側の電位Ｖcp2 + である。
【００２１】
而して、コンパレータＣＰ2 の入力電位は、図６（ａ）に示すようにＶcp2 + ＞Ｖcp2 - となるので、コンパレータＣＰ2 の出力電圧Ｖcp2 out は、図６（ｂ）に示すような略一定値の直流電圧となり、フォトカプラＰＣ3 の発光ダイオードＬＥＤ3 が消灯してフォトトランジスタＰＴ3 がオフする。その結果、ランプＬａは消灯（オフ）する（図２（ｇ）参照）ので、すなわち、ランプＬａの点灯が禁止されるので、突入電流防止用抵抗Ｒ1 にランプ電流が流れることはない（この時の、突入電流防止用抵抗Ｒ1 の電圧を図２（ｈ）に示す）。つまり、図２（ｇ）に示すように、時刻ｔ4 においてランプがオフしてランプ電流が流れなくなるので、突入電流防止用抵抗Ｒ1 が破壊されることはないのである。
【００２２】
以上説明したように、本点灯装置では、従来の点灯装置にダイオードＤ1 を付加するだけでよいので、低コストで突入電流防止用抵抗Ｒ1 の破壊を防止することができる。
（実施形態２）
本実施形態の点灯装置の主回路を図７（ａ）に、主回路を制御する点灯制御回路たる制御回路を図７（ｂ）に示す。本点灯装置の主回路の構成は図１３（ａ）で説明した従来例と同じであり、本点灯装置の特徴とするところは、図１３（ｂ）で説明した制御回路において、点灯禁止手段として突入電流防止回路４1 のリレーコイルＬｙと並列に、ツェナダイオードＺＤ6 、抵抗Ｒ3 、（フォトカプラＰＣ4 の）発光ダイオードＬＥＤ4 の直列回路を接続するとともに、点灯制御回路１1 のトランジスタＱ10の替わりにフォトカプラＰＣ4 のフォトトランジスタＰＴ4 を接続し、更に、〔リレーＲＹ1 の感動電圧〕≦〔ツェナダイオードＺＤ6 のツェナ電圧〕としたことにある。
【００２３】
以下、本点灯装置の動作について説明する。
本点灯装置の基本動作（商用電源ＡＣの電圧が一定の時の動作）は従来例と略同じなので、特徴となる動作についてのみ説明する。なお、従来例と同様の構成要素については同一の符号を付してある。
本点灯装置では、主回路に商用電源ＡＣが印加されたスタンバイ状態において、図８（ｂ）に示すように時刻ｔ1 で点灯信号（直流電圧）が点灯信号入力端子Ｔ1 に印加されると（点灯信号がハイレベルＨになると）、従来例と同様にランプＬａが点灯（オン）する。
【００２４】
本点灯装置では、ランプＬａの点灯（オン）中に、例えば図８（ａ）に示すように商用電源ＡＣの電圧Ｖinが緩やかに降下して時刻ｔ3 においてＶinがＶin1 に達すると、電圧検知回路５のツェナダイオードＺＤ1 に電流が流れなくなり、フォトカプラＰＣ1 の発光ダイオードＬＥＤ1 が消灯してフォトトランジスタＰＴ1 がオフし、その結果、トランジスタＱ5 のコレクタ・エミッタ間電圧ＶCEが上昇し、リレーコイルＬｙの両端電圧が降下する。
【００２５】
ここで、本点灯装置では、〔リレーＲＹ1 の感動電圧〕≦〔ツェナダイオードＺＤ6 のツェナ電圧〕としてあるから、商用電源ＡＣの電圧ＶinがＶin1 に達すると、フォトカプラＰＣ4 の発光ダイオードＬＥＤ4 が消灯してフォトトランジスタＰＴ4 がオフする（図８（ｃ）参照）ので、トランジスタＱ2 ，Ｑ3 がオンし、その結果、ランプＬａが消灯（オフ）する（図８（ｅ）参照）。さらに商用電源ＡＣの電圧Ｖinが降下して時刻ｔ4 においてＶin2 に達すると、リレーＲＹ1 の接点Ｓ1 がオフする（図８（ｄ）参照）。すなわち、本点灯装置では、商用電源の電圧が変動した時は、ランプＬａがオフした後に、つまり、ランプＬａの点灯が禁止された後に、リレーＲＹ1 の接点Ｓ1 がオフするので、突入電流防止用抵抗Ｒ1 にランプ電流が流れることはなく（この時の突入電流防止用抵抗Ｒ1 の電圧を図８（ｆ）に示す）、突入電流防止用抵抗Ｒ1 が破壊されるのを防止することができるのである。
【００２６】
なお、商用電源ＡＣの電圧Ｖinが緩やかに上昇した場合は、リレーＲＹ1 の接点Ｓ1 がオンした後、フォトカプラＰＣ4 のフォトトランジスタＰＴ4 がオンしてランプＬａが点灯するので、突入電流防止用抵抗Ｒ1 にランプ電流が流れることはない。
【００２７】
【発明の効果】
請求項１の発明は、交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点と、ランプの調光比を調整する調光回路とを備えた点灯装置であって、前記リレーの接点がオフ状態の時にランプの点灯を禁止する点灯禁止手段を備え、前記リレーコイルは、前記電圧検知回路にて検知された電圧が所定電圧以上のときにオンするトランジスタを介して直流電源の両端間に接続され、前記調光回路は、直流電圧からなる調光信号が入力される調光信号入力端子と、前記調光信号入力端子と前記直流電源の負極との間に直列接続された一対の抵抗と、プラス入力端子に入力される三角波電圧と反転入力端子に入力される前記両抵抗の接続点の電圧からなるしきい値電圧とを比較してＰＷＭ信号を出力するコンパレータとを備え、前記点灯禁止手段が、前記コンパレータの反転入力端子にアノードが接続され前記トランジスタと前記リレーコイルとの接続点にカソードが接続されたダイオードからなり、前記電圧検知回路で検知された電圧が所定電圧まで降下して前記リレーの接点がオフすると、前記調光信号入力端子−前記ダイオード−前記リレーコイルの経路で電流が流れて前記コンパレータの出力が略一定値となって前記ランプが消灯するので、交流電源の電圧が変動して電圧検知回路の電圧が所定電圧まで降下して前記リレーの接点がオフするときは前記リレーの接点がオフすると略同時にランプが消灯するから、前記突入電流防止用抵抗に電流が流れることがなく、前記突入電流防止用抵抗が破壊されるのを防ぐことができるという効果がある。
【００２９】
請求項２の発明は、交流電源を整流する整流回路と、前記整流回路の出力を平滑する平滑コンデンサと、前記平滑コンデンサの出力である直流電圧を電源としてランプを点灯する点灯回路と、前記点灯回路を外部信号に基づいてオン、オフする点灯制御回路と、前記平滑コンデンサ両端の電圧を検知する電圧検知回路と、前記交流電源と前記平滑コンデンサとの間に接続され前記平滑コンデンサへの突入電流を防止する突入電流防止用抵抗と、前記突入電流防止用抵抗に並列に接続され前記電圧検知回路にて検知された電圧が所定電圧以上の時にリレーコイルが励磁されてオン状態になるリレーの接点とを備えた点灯装置であって、前記リレーの接点がオフ状態の時にランプの点灯を禁止する点灯禁止手段を備え、直流電源の両端間に前記リレーコイルと前記電圧検知回路にて検知された電圧が所定電圧以上のときにオンするトランジスタとの直列回路が接続され、前記点灯禁止手段は、前記リレーコイルに並列に接続されたツェナダイオードと抵抗とフォトカプラの発光ダイオードとの直列回路と、点灯回路の動作を制御する前記フォトカプラのフォトトランジスタとを備え、前記ツェナダイオードのツェナ電圧を前記リレーの感動電圧以上としてあり、前記電圧検知回路で検知された電圧が所定電圧まで降下して前記リレーコイルの両端電圧が降下すると、前記発光ダイオードが消灯して前記フォトトランジスタがオフしてランプが消灯し、その後、前記電圧検知回路で検知された電圧が更に降下すると前記リレーの接点がオフするものであり、点灯禁止手段が動作した後に、リレーの接点がオフするので、交流電源の電圧が変動して前記リレーの接点がオフするときにはランプが消灯されているから、前記突入電流防止用抵抗に電流が流れることがなく、前記突入電流防止用抵抗が破壊されるのを防ぐことができるという効果がある。
【図面の簡単な説明】
【図１】実施形態１を示し、（ａ）は主回路の構成図であり、（ｂ）は制御回路の構成図である。
【図２】同上の動作説明図である。
【図３】同上の効果を説明するための動作説明図である。
【図４】同上の要部の動作説明図である。
【図５】同上の効果を説明するための他の動作説明図である。
【図６】同上の要部の動作説明図である。
【図７】実施形態２を示し、（ａ）は主回路の構成図であり、（ｂ）は制御回路の構成図である。
【図８】同上の動作説明図である。
【図９】従来例を示し、（ａ）は主回路の構成図であり、（ｂ）は制御回路の構成図である。
【図１０】同上の要部の動作説明図である。
【図１１】同上の他の要部の動作説明図である。
【図１２】同上の動作説明図である。
【図１３】他の従来例を示し、（ａ）は主回路の構成図であり、（ｂ）は制御回路の構成図である。
【図１４】同上の動作説明図である。
【符号の説明】
１1   点灯制御回路
３  点灯回路
４1   突入電流防止回路
ＡＣ  商用電源
Ｅ  直流電源
Ｌａ  ランプ
ＲＹ1   リレー
Ｓ1   接点
ＰＣ1 〜ＰＣ3   フォトカプラ
Ｒ1   突入電流防止用抵抗
Ｔ1   点灯信号入力端子
ＣＰ2   コンパレータ
Ｑ6   トランジスタ
Ｄ1   ダイオード
【図１】
0003728801.tif 000002
【図２】
0003728801.tif 000003
【図３】
0003728801.tif 000004
【図４】
0003728801.tif 000005
【図５】
0003728801.tif 000006
【図６】
0003728801.tif 000007
【図７】
0003728801.tif 000008
【図８】
0003728801.tif 000009
【図９】
0003728801.tif 000010
【図１０】
0003728801.tif 000011
【図１１】
0003728801.tif 000012
【図１２】
0003728801.tif 000013
【図１３】
0003728801.tif 000014
【図１４】
0003728801.tif 000015